(57)【特許請求の範囲】
【請求項１】
サブ１ＧＨｚ周波数帯域での動作を規定する無線ローカルエリアネットワークＷＬＡＮプロトコルに準拠する、送信される物理層データユニット（ＰＨＹデータユニット）を生成する方法であって、
前記ＰＨＹデータユニットのプリアンブル部分を生成する段階と、
８ビットの長さを有するサービスフィールドを生成する段階であって、前記サービスフィールドの7ビットは、スクランブラシードビットに対応し、前記サービスフィールドの1ビットは、リザーブされたフィールドに対応し、前記スクランブラシードビットは、前記ＰＨＹデータユニットのデータ部分における情報ビットを暗号化するのに使用されるスクランブラの初期状態に対応し、前記サービスフィールドは、前記スクランブラの前記初期状態を規定するために前記ＷＬＡＮプロトコルにより規定される、段階と、
前記８ビットの長さを有する前記サービスフィールドを含むように、前記ＰＨＹデータユニットの前記データ部分を生成する段階と、を備える方法。
【請求項２】
前記ＰＨＹデータユニットの前記データ部分におけるデータを暗号化するのに使用されるスクランブラシードのビットの数は、７より多い、請求項１に記載の方法。
【請求項３】
前記サービスフィールドに含まれない前記スクランブラシードの１以上のビットは、予め定められた値を有すると仮定される、請求項２に記載の方法。
【請求項４】
サブ１ＧＨｚ周波数帯域での動作を規定する無線ローカルネットワークＷＬＡＮ通信プロトコルに従って物理層データユニット（ＰＨＹデータユニット）を生成するネットワークインターフェースを備え、
前記ネットワークインターフェースは少なくとも、
前記ＰＨＹデータユニットのプリアンブル部分を生成し、
８ビットの長さを有するサービスフィールドを生成し、前記サービスフィールドの7ビットは、スクランブラシードビットに対応し、前記サービスフィールドの1ビットは、リザーブされたフィールドに対応し、前記スクランブラシードビットは、前記ＰＨＹデータユニットのデータ部分における情報ビットを暗号化するのに使用されるスクランブラの初期状態に対応し、前記サービスフィールドは、前記スクランブラの前記初期状態を規定するために前記ＷＬＡＮ通信プロトコルにより規定され、
前記８ビットの長さを有する前記サービスフィールドを含むように、前記ＰＨＹデータユニットの前記データ部分を生成する、装置。
【請求項５】
前記ＰＨＹデータユニットの前記データ部分におけるデータを暗号化するのに使用されるスクランブラシードのビットの数は、７より多い、請求項４に記載の装置。
【請求項６】
前記サービスフィールドに含まれない前記スクランブラシードの１以上のビットは、予め定められた値を有すると仮定される、請求項５に記載の装置。
【発明の詳細な説明】
【技術分野】
【０００１】
本開示は、概して、通信ネットワークに関し、より詳細には、長距離低電力無線ローカルエリアネットワークに関する。
【０００２】
［優先権情報］
本開示は、２０１１年６月７日出願の米国仮出願第61/494,362号"Remove SERVICE Field in 11ah and 11af（１１ａｈおよび１１ａｆにおけるサービスフィールドの削除）"の優先権を主張するものであり、上記出願の内容は、参照により本明細書に組み込まれる。
【背景技術】
【０００３】
本発明の理解するための背景を、一般的に説明することを目的として、背景技術を説明する。以下、背景技術の章において説明される範囲および出願時には従来技術として認められていない側面の範囲において、本願発明者の仕事は、本開示に対して明示的にまたは非明示的にも、従来技術であるとは認めていない。
【０００４】
インフラストラクチャモードで動作する無線ローカルエリアネットワーク（ＷＬＡＮ）は、典型的には、１つのアクセスポイント（ＡＰ）と１以上のクライアント局を備える。過去１０年間で、ＷＬＡＮは、急速に発展した。電気電子技術者境界（ＩＥＥＥ）８０２．１１ａ、８０２．１１ｂ、８０２．１１ｇおよび８０２．１１ｎ規格のようなＷＬＡＮ規格により、シングルユーザ・ピークデータスループットの改善がなされてきた。例えば、ＩＥＥＥ８０２．１１ｂ規格では、１１メガビット／秒（Ｍｂｐｓ）のシングルユーザピークスループットが規定されており、ＩＥＥＥ８０２．１１ａおよび８０２．１１ｇ規格では、５４Ｍｂｐｓのシングルユーザピークスループットが規定されており、ＩＥＥＥ８０２．１１ｎ規格では、６００Ｍｂｐｓのシングルユーザピークスループットが規定されており、ＩＥＥＥ８０２．１１ａｃ規格では、ギガビット／秒（Ｇｂｐｓ）の範囲のシングルユーザピークスループットが規定されている。
【０００５】
サブ１ＧＨｚ周波数で動作する無線ネットワークを規定する新たな規格であるＩＥＥＥ８０２．１１ａｈおよびＩＥＥＥ８０２．１１ａｆについての検討も進められている。低い周波数の通信チャネルは一般的に、良好な伝播特性を有し、高い周波数での伝送と比較して、広い伝播範囲を有する。これまで、サブ１ＧＨｚ領域は、別の用途（例えば、テレビの周波数帯域、無線周波数帯域等）に割り当てられており、無線通信ネットワークでは利用されてこなかった。サブ１ＧＨｚ領域で割り当てられていない未使用の周波数帯が僅かに存在し、異なる地理的領域では未使用の周波数が異なる。ＩＥＥＥ８０２．１１ａｈ規格は、利用可能なサブ１ＧＨｚ周波数帯での無線オペレーションを規定している。ＩＥＥＥ８０２．１１ａｆ規格は、テレビのホワイトスペース（ＴＶＷＳ）、すなわち、サブ１ＧＨｚ周波数帯で利用されていないＴＶチャネルでの無線オペレーションを規定している。サブ１ＧＨｚ周波数帯での通信チャネルは、低いデータレートを有することから、長いプリアンブルを有する物理層（ＰＨＹ）データユニットを生成すると、クライアント局にデータユニットを送信するのにかかる期間が大幅に長くなる。
【発明の概要】
【０００６】
一実施形態では、長距離通信プロトコルを介して物理層（ＰＨＹ）データユニットを生成する方法は、ＰＨＹデータユニットのプリアンブル部分を生成する段階を備える。方法はまた、８ビット以下の長さを有するサービスフィールドを生成する段階を備える。方法は、８ビット以下の長さを有するサービスフィールドを含むように、ＰＨＹデータユニットのデータ部分を生成する段階を備える。
【０００７】
その他の様々な実施形態において、以下に記載する特徴の任意の組み合わせが含まれる。サービスフィールドの７ビットは、スクランブラシードに対応し、サービスフィールドの１ビットは、リザーブされたフィールドに対応する。サービスフィールドは、スクランブラシードサブフィールドを含み、スクランブラシードサブフィールドの長さは、ＰＨＹデータユニットのデータ部分におけるデータを暗号化するのに使用されるスクランブラシードの長さよりも短い。スクランブラシードサブフィールドに含まれないスクランブラシードの１以上のビットは、予め定められた値を有すると仮定される。
【０００８】
別の実施形態では、装置は、長距離通信プロトコルに従って物理層データユニット（ＰＨＹデータユニット）を生成するネットワークインターフェースを備える。ネットワークインターフェースは少なくとも、ＰＨＹデータユニットのプリアンブル部分を生成し、８ビット以下の長さを有するサービスフィールドを生成するように構成される。ネットワークインターフェースは更に、８ビット以下の長さを有するサービスフィールドを含むように、ＰＨＹデータユニットのデータ部分を生成する。
【０００９】
その他の様々な実施形態において、以下に記載する特徴の任意の組み合わせが含まれる。サービスフィールドの７ビットは、スクランブラシードに対応し、サービスフィールドの１ビットは、リザーブされたフィールドに対応する。サービスフィールドは、スクランブラシードサブフィールドを含み、スクランブラシードサブフィールドの長さは、ＰＨＹデータユニットのデータ部分におけるデータを暗号化するのに使用されるスクランブラシードの長さよりも短い。スクランブラシードサブフィールドに含まれないスクランブラシードの１以上のビットは、予め定められた値を有すると仮定される。
【００１０】
更なる別の実施形態では、長距離通信プロトコルを介して物理層データユニット（ＰＨＹデータユニット）を生成する方法は、スクランブラシードサブフィールドを生成する段階を備える。方法はまた、スクランブラシードサブフィールドを含む信号フィールドを生成する段階を備える。方法は更に、記信号フィールドを含むように、ＰＨＹデータユニットのプリアンブル部分を生成する段階を備える。方法は更に、サービスフィールドを含まないように、ＰＨＹデータユニットのデータ部分を生成する段階を備える。
【００１１】
その他の様々な実施形態において、以下に記載する特徴の任意の組み合わせが含まれる。スクランブラシードサブフィールドは、７ビットの長さを有する。スクランブラシードサブフィールドの長さは、ＰＨＹデータユニットのデータ部分におけるデータを暗号化するのに使用されるスクランブラシードの長さよりも短い。スクランブラシードサブフィールドに含まれないスクランブラシードの１以上のビットは、予め定められた値を有すると仮定される。
【００１２】
別の実施形態では、装置は、長距離通信プロトコルに従って物理層データユニット（ＰＨＹデータユニット）を生成するネットワークインターフェースを備える。装置はまた、スクランブラシードサブフィールドを含む信号フィールドを生成するべく、スクランブラシードサブフィールドを生成する。装置は更に、信号フィールドを含むように、ＰＨＹデータユニットのプリアンブル部分を生成する。装置は更に、サービスフィールドを含まないように、ＰＨＹデータユニットのデータ部分を生成する。
【００１３】
その他の様々な実施形態において、以下に記載する特徴の任意の組み合わせが含まれる。スクランブラシードサブフィールドは、７ビットの長さを有する。スクランブラシードサブフィールドの長さは、ＰＨＹデータユニットのデータ部分におけるデータを暗号化するのに使用されるスクランブラシードの長さよりも短い。スクランブラシードサブフィールドに含まれないスクランブラシードの１以上のビットは、予め定められた値を有する。
【００１４】
更なる別の実施形態では、長距離通信プロトコルを介して物理層データユニット（ＰＨＹデータユニット）を生成する方法であって、ＰＨＹデータユニットを、オペレーションの第１モードに従って生成するか、または、オペレーションの第２モードに従って生成するかを判断する段階を備える。方法は、ＰＨＹデータユニットを、オペレーションの第１モードに従って生成すると判断された場合には、（ｉ）スクランブラシードサブフィールドが、ＰＨＹデータユニットの第１ロケーションに位置するように、および、（ｉｉ）スクランブラシードサブフィールドが、第１長さを有するように、ＰＨＹデータユニットを生成する段階を備える。方法は更に、ＰＨＹデータユニットを、オペレーションの第２モードに従って生成すると判断された場合には、（ｉ）スクランブラシードサブフィールドが、ＰＨＹデータユニットにおける第１ロケーションとは異なる第２ロケーションに位置するように、および、（ｉｉ）スクランブラシードサブフィールドが、第１長さとは異なる第２長さを有するように、の少なくとも一方の形態で、ＰＨＹデータユニットを生成する段階を備える。
【００１５】
その他の様々な実施形態において、以下に記載する特徴の任意の組み合わせが含まれる。
【００１６】
ＰＨＹデータユニットを、オペレーションの第１モードに従って生成すると判断された場合には、スクランブラシードサブフィールドが、ＰＨＹデータユニットのデータ部分のサービスフィールドに位置するように、ＰＨＹデータユニットを生成し、ＰＨＹデータユニットを、オペレーションの第２モードに従って生成すると判断された場合には、スクランブラシードサブフィールドが、ＰＨＹデータユニットのプリアンブル部分の信号フィールドに位置するように、ＰＨＹデータユニットを生成する。
【００１７】
ＰＨＹデータユニットを、オペレーションの第１モードに従って生成すると判断された場合には、スクランブラシードサブフィールドが、第１の長さを有するように、ＰＨＹデータユニットを生成し、ＰＨＹデータユニットを、オペレーションの第２モードに従って生成すると判断された場合には、スクランブラシードサブフィールドが、第１の長さより短い第２の長さを有するように、ＰＨＹデータユニットを生成する。
【００１８】
別の実施形態では、装置は、長距離通信プロトコルに従って物理層データユニット（ＰＨＹデータユニット）を生成するネットワークインターフェースを備える。ネットワークインターフェースは少なくとも、ＰＨＹデータユニットを、オペレーションの第１モードに従って生成するか、または、オペレーションの第２モードに従って生成するかを判断する。ネットワークインターフェースは、ＰＨＹデータユニットを、オペレーションの第１モードに従って生成すると判断された場合には、（ｉ）スクランブラシードサブフィールドが、ＰＨＹデータユニットの第１ロケーションに位置するように、および、（ｉｉ）スクランブラシードサブフィールドが、第１長さを有するように、ＰＨＹデータユニットを生成する。ネットワークインターフェースは更に、ＰＨＹデータユニットを、オペレーションの第２モードに従って生成すると判断された場合には、（ｉ）スクランブラシードサブフィールドが、ＰＨＹデータユニットにおける第１ロケーションとは異なる第２ロケーションに位置するように、および、（ｉｉ）スクランブラシードサブフィールドが、第１長さとは異なる第２長さを有するように、の少なくとも一方の形態で、ＰＨＹデータユニットを生成する。
【００１９】
その他の様々な実施形態において、以下に記載する特徴の任意の組み合わせが含まれる。
【００２０】
ネットワークインターフェースは更に、  ＰＨＹデータユニットを、オペレーションの第１モードに従って生成すると判断された場合には、スクランブラシードサブフィールドが、ＰＨＹデータユニットのデータ部分のサービスフィールドに位置するように、ＰＨＹデータユニットを生成し、ＰＨＹデータユニットを、オペレーションの第２モードに従って生成すると判断された場合には、スクランブラシードサブフィールドが、ＰＨＹデータユニットのプリアンブル部分の信号フィールドに位置するように、ＰＨＹデータユニットを生成する。
【００２１】
ネットワークインターフェースは、ＰＨＹデータユニットを、オペレーションの第１モードに従って生成すると判断された場合には、スクランブラシードサブフィールドが、第１の長さを有するように、ＰＨＹデータユニットを生成し、ＰＨＹデータユニットを、オペレーションの第２モードに従って生成すると判断された場合には、スクランブラシードサブフィールドが、第１の長さより短い第２の長さを有するように、前記ＰＨＹデータユニットを生成する。
【図面の簡単な説明】
【００２２】
【図１】一実施形態に係る無線ローカルエリアネットワーク（ＷＬＡＮ）１０を示したブロック図である。
【００２３】
【図２Ａ】一実施形態に係る、短距離直交周波数分割多重（ＯＦＤＭ）データユニットを示した図である。
【図２Ｂ】一実施形態に係る、短距離直交周波数分割多重（ＯＦＤＭ）データユニットを示した図である。
【００２４】
【図３】ＩＥＥＥ８０２．１１ａ／８０２．１１ｇ規格で規定されるデータユニット形式を示した図である。
【００２５】
【図４】ＩＥＥＥ８０２．１１ｎ規格で規定されるデータユニット形式を示した図である。
【００２６】
【図５】ＩＥＥＥ８０２．１１ａｃ規格で規定されるデータユニット形式を示した図である。
【００２７】
【図６】一実施形態に係る、長距離物理層（ＰＨＹ）データユニットの一例を示した図である。
【００２８】
【図７】別の実施形態に係る、長距離ＰＨＹデータユニットの一例を示した図である。
【００２９】
【図８】別の実施形態に係る、長距離ＰＨＹデータユニットの一例を示した図である。
【００３０】
【図９】別の実施形態に係る、長距離ＰＨＹデータユニットの一例を示した図である。
【００３１】
【図１０】一実施形態に係る、ＰＨＹデータユニットを生成する方法の一例を示したフローチャートである。
【００３２】
【図１１】別の実施形態に係る、ＰＨＹデータユニットを生成する方法の一例を示したフローチャートである。
【００３３】
【図１２】別の実施形態に係る、ＰＨＹデータユニットを生成する方法の一例を示したフローチャートである。
【００３４】
【図１３】別の実施形態に係る、ＰＨＹデータユニットを生成する方法の一例を示したフローチャートである。
【発明を実施するための形態】
【００３５】
以下に記載される実施形態では、無線ローカルエリアネットワーク（ＷＬＡＮ）のアクセスポイント（ＡＰ）のような無線ネットワークデバイスが、１以上のクライアント局にデータストリームを送信する。ＡＰは、少なくとも第１通信プロトコルに従って、クライアント局とのオペレーションを行うように構成されている。第１通信プロトコルは、サブ１ＧＨｚ周波数帯におけるオペレーションを規定し、典型的には、相対的に低いデータレートで長距離（long range）無線通信を行うことを必要とするアプリケーションで使用される。以下、第１通信プロトコル（例えば、ＩＥＥＥ８０２．１１ａｆまたはＩＥＥＥ８０２．１１ａｈ）を"長距離"通信プロトコルと称する。ある実施形態では、ＡＰは、第１通信プロトコと比較して、相対的に高いデータレートで近距離で通信を行うのに使用され一般的に高い周波数帯でオペレーションを規定する１以上の別の通信プロトコルに従って、クライアント局との動作を行うように構成される。以下、近距離通信プロトコルを、"短距離"通信プロトコルと総称する。
【００３６】
ある実施形態では、長距離通信プロトコルは、近距離通信プロトコルの１以上によって規定される物理層データユニット形式と同様なまたは同一の１以上の物理層データユニット形式を規定する。一実施形態では、長距離通信をサポートし、典型的には低い周波数（サブ１ＧＨｚ）で利用可能な小さな帯域幅のチャネルに適用させるべく、長距離通信プロトコルは、長距離通信プロトコルによって規定される物理層（ＰＨＹ）データユニット形式とほぼ同様である形式を有するが低いクロックレートで生成されるデータユニットを規定する。一実施形態では、ＡＰは、短距離（および高スループット）オペレーションに適したクロックレートで動作し、ダウンクロックを利用して、サブ１ＧＨｚオペレーションで利用可能なクロック信号を新たに生成する。この実施形態では、長距離通信プロトコルに準拠するＰＨＹデータユニット（"長距離データユニット"）は、短距離通信プロトコルに準拠するデータユニット（"短距離データユニット"）の物理層形式を維持するが、より長い期間にわたって送信される。また、ある実施形態では、長距離通信プロトコルでは、より低いデータレートを有し、拡張範囲でのオペレーションを意図した、１以上の更なる通信モードが規定される。
【００３７】
ある実施形態では、長距離データユニットは、短距離データユニットよりも遅いレートで送信され、また、ＰＨＹデータユニット全体の長さが制限される場合があることから、ＰＨＹプリアンブル情報および距離データユニットにおけるその他のＰＨＹオーバーヘッド情報によって生じるオーバーヘッドの程度は、短距離データユニットにおける同様な情報によって生じるオーバーヘッドの程度と比較して、非常に大きい。例えば、ＩＥＥＥ８０２．１１ａ、ＩＥＥＥ８０２．１１ｇおよびＩＥＥＥ８０２．１１ｎに準拠するＰＨＹデータユニットには、サービスフィールドが含まれる。ＩＥＥＥ８０２．１１ａ、ＩＥＥＥ８０２．１１ｇおよびＩＥＥＥ８０２．１１ｎ規格に規定されるように、サービスフィールドは、２バイトの長さを有する。長距離通信プロトコルを使用することが予測されるシナリオでは、ＰＨＹデータユニットのペイロードは、２バイト程度である。したがって、ＩＥＥＥ８０２．１１ａ、ＩＥＥＥ８０２．１１ｇおよびＩＥＥＥ８０２．１１ｎ規格に規定されるサービスフィールドは、少なくとも一部のシナリにおいて、長距離通信プロトコルにおけるオーバーヘッドに大きく影響する。
【００３８】
以下に記載する実施形態では、ＩＥＥＥ８０２．１１ａ、ＩＥＥＥ８０２．１１ｇおよびＩＥＥＥ８０２．１１ｎ規格に規定されるようなサービスフィールドは、長距離プロトコルが使用される場合には、オーバーヘッドを低減するべく、小さなサイズとなっているまたは全て取り除かれているような、ＰＨＹデータユニット形式が記載される。
【００３９】
図１は、一実施形態に係る、無線ローカルエリアネットワーク（ＷＬＡＮ）１０の一例を示したブロック図である。ＡＰ１４は、ネットワークインターフェース１６に接続されたホストプロセッサ１５を備える。ネットワークインターフェース１６は、媒体アクセス制御（ＭＡＣ）ユニット１８および物理層（ＰＨＹ）処理ユニット２０を有する。ＰＨＹユニット２０は、複数の送受信機２１を含み、複数の送受信機２１は、複数のアンテナ２４に接続されている。図１には、３つの送受信機２１および３つのアンテナ２４が示されているが、別の実施形態では、ＡＰ１４は、異なる数（例えば、１、２、４、５等）の送受信機２１およびアンテナ２４を備えてもよい。
【００４０】
ＷＬＡＮ１０は、複数のクライアント局２５を備える。図１には、４つのクライアント局２５が示されているが、他のシナリオおよび／または実施形態では、ＷＬＡＮ１０は、異なる数（例えば、１、２、３、５、６等）のクライアント局２５を含んでもよい。複数のクライアント局２５のうちの少なくとも１つ（例えば、クライアント局２５−１）は、少なくとも長距離通信プロトコルに従って動作するよう構成されている。ある実施形態では、複数のクライアント局２５のうちの少なくとも１つ（例えば、クライアント局２５−４）は、少なくとも短距離通信プロトコルの１以上に従って動作するよう構成されている短距離クライアント局である。
【００４１】
クライアント局２５−１は、ネットワークインターフェース２７に接続されたホストプロセッサ２６を備える。ネットワークインターフェース２７は、ＭＡＣユニット２８およびＰＨＹユニット２９を有する。ＰＨＹユニット２９は、複数の送受信機３０を含み、複数の送受信機３０は、複数のアンテナ３４に接続されている。図１には、３つの送受信機３０および３つのアンテナ３４が示されているが、別の実施形態では、クライアント局２５−１は、異なる数（例えば、１、２、４、５等）の送受信機３０およびアンテナ３４を備えてもよい。
【００４２】
一実施形態では、クライアント局２５−２および２５−３のうちの一つまたは両方が、クライアント局２５−１と同一のまたは同様な構造を有する。一実施形態において、クライアント局２５−４は、クライアント局２５−１と同一のまたは同様な構造を有する。これらの実施形態では、クライアント局２５−１と同一のまたは同様な構造を有する複数のクライアント局２５は、同じ数または異なる数の送受信機およびアンテナを有する。例えば、一実施形態において、クライアント局２５−２は、送受信機およびアンテナをそれぞれ２つのみ有する。
【００４３】
様々な実施形態において、ＡＰ１４のＰＨＹユニット２０は、長距離通信プロトコルに準拠し、以下に説明するような形式を有するデータユニットを生成するように構成される。送受信機２１は、アンテナ２４を介して、生成されたデータユニットを送信する。同様に、送受信機２４は、アンテナ２１を介してデータユニットを受信する。様々な実施形態において、ＡＰ１４のＰＨＹ処理ユニット２０は、長距離通信プロトコルに準拠し、以下に説明する形式を有する受信データユニットを処理するように構成される。
【００４４】
様々な実施形態において、クライアントデバイス２５−１のＰＨＹユニット２９は、長距離通信プロトコルに準拠し、以下に説明する形式を有するデータユニットを生成するように構成される。送受信機３０は、アンテナ３４を介して、生成されたデータユニットを送信する。同様に、送受信機３０は、アンテナ３４を介してデータユニットを受信する。様々な実施形態において、クライアントデバイス２５−１のＰＨＹ処理ユニット２９は、長距離通信プロトコルに準拠して以下に記載する形式を有する受信データユニットを処理する。
【００４５】
従来技術のＰＨＹデータユニット形式について、背景として以下に簡単に説明する。
【００４６】
図２Ａには、ＩＥＥＥ８０２．１１ａ規格で規定される、従来技術の短距離ＰＨＹデータユニット２００が示されている。ＰＨＹデータユニット２００は、一般的にパケット検出、初期同期および自動ゲイン制御等に使用されるレガシーショートトレーニングフィールド（Ｌ−ＳＴＦ）２０２、および、一般的にチャネル推定および精度の高い同期に使用されるレガシーロングトレーニングフィールド（Ｌ−ＬＴＦ）２０４を有するプリアンブルを含む。ＰＨＹデータユニット２００はまた、例えば、変調の種類およびＰＨＹデータユニット２００の送信に使用される符合化レートのような、データユニット２００に関する特定の物理層（ＰＨＹ）パラメータを搬送するのに使用されるレガシー信号フィールド（Ｌ−ＳＩＧ）２０６を含む。ＰＨＹデータユニット２００はまた、データ部分２０８を含む。図２Ｂは、必要に応じて、サービスフィールド、暗号化された物理層サービスデータユニット（ＰＳＤＵ）、テールビットおよびパディングビットを含むデータ部分２０８（低密度パリティ検査符号で符合化されていない）の一例を示している。ＰＨＹデータユニット２００は、単入力単出力（ＳＩＳＯ）チャネル構成で、１つの空間または空間時間ストリーム上で送信されるように設計されている。
【００４７】
図３には、ＩＥＥＥ８０２．１１ａおよびＩＥＥＥ８０２．１１ｇ規格で規定される、従来技術の短距離ＰＨＹデータユニット３００が示されている。データユニット３００は、プリアンブル３０２およびデータ部分３０４を含む。データ部分３０４は、サービスフィールド３０６を含む。サービスフィールド３０６は、１６ビット（２バイト）の長さを有する。７つの最上位ビット（ＭＳＢ）を、スクランブラシードビット３０８として規定し、９つの最下位ビットを、リザーブされたサービスビット３１０として規定する。サービスフィールド３０６は通常、データ部分３０４の受信を改善する目的で、データ部分３０４の情報ビットを暗号化するのに使用されるスクランブラの初期状態を規定するのに使用される。ＰＨＹデータユニット３００は、単入力単出力（ＳＩＳＯ）チャネル構成で、１つの空間または空間時間ストリーム上で送信されるように設計されている。
【００４８】
図４は、ＩＥＥＥ８０２．１１ｎ規格に従う従来技術の２つのＰＨＹデータユニット４００が示されている。データユニット４００は、プリアンブル４０２およびデータ部分４０４を含む。データ部分４０４は、サービスフィールド４０６を含む。サービスフィールドは、１６ビットの長さを有する。７つの最上位ビット（ＭＳＢ）は、スクランブラシードビット４０８として規定され、９つの最下位ビット（ＬＳＢ）は、リザーブされたサービスビット４１０として規定される。ＰＨＹデータユニット４００は、マルチユーザ複数入力複数出力（ＭＩＭＯ）チャネル構成で、１以上の空間ストリームまたは空間時間ストリーム上で送信されるように設計されている。
【００４９】
図５は、規格化が進められているＩＥＥＥ８０２．１１ａｃ規格に従う従来技術のＰＨＹデータユニット５００を示している。ＰＨＹデータユニット５００は、レガシーショートトレーニングフィールド（Ｌ−ＳＴＦ）５０４、レガシーロングトレーニングフィールド（Ｌ−ＬＴＦ）５０６、および、レガシー局（例えば、ＩＥＥＥ８０２．１１ａ、ＩＥＥＥ８０２．１１ｇまたはＩＥＥＥ８０２．１１ｎ規格に従うクライアント局）に、少なくともある情報を提供するためのレガシー信号（Ｌ−ＳＩＧ）５０８を含むプリアンブル５０２を有する。
【００５０】
データユニット５００は、マルチユーザ複数入力複数出力（ＭＩＭＯ）チャネル構成で送信されるように設計されている。プリアンブル５０２は、ＰＨＹデータユニット５００に関する情報を規定する超高スループット（ＶＨＴ）信号フィールドＡ（ＶＨＴ−ＳＩＧ−Ａ）５１０を含む。プリアンブル５０２はまた、一般的にパケット検出、初期同期および自動ゲイン制御等に使用されるＶＨＴショートトレーニングフィールド（ＶＨＴ−ＳＴＦ）５１２、一般的にチャネル推定および精度の高い同期に使用されるＶＨＴロングトレーニングフィールド（ＶＨＴ−ＬＴＦ）５１４、および、超高スループット信号フィールドＢ（ＶＨＴ−ＳＩＧ−Ｂ）５１６を含む。ＰＨＹデータユニット５００はまた、サービスフィールド５２０を伴うデータ部分５１８を含む。サービスフィールド５２０は、１６ビット（２バイト）の長さを有する。７つの最上位ビット（ＭＳＢ）は、スクランブラシードビット５２２として規定される。サービスフィールドのうちの１ビットは、リザーブサービスビット５２４として規定される。サービスフィールドの８つの最下位ビット（ＬＳＢ）は、ＶＨＴ−ＳＩＧ−Ｂ５１６の巡回冗長検査（ＣＲＣ）フィールド５２６として使用される。
【００５１】
図６は、一実施形態に係る、長距離通信プロトコルで使用されるＰＨＹデータユニット形式６００の一例が示されている。一実施形態では、ＡＰ１４は、直交周波数分割多重（ＯＦＤＭ）変調を介して、クライアント局２５−４に、ＰＨＹデータユニット６００を送信する。一実施形態では、クライアント局２５−４も、データユニット６００をＡＰ１４に送信する。
【００５２】
ＰＨＹデータユニット６００は、一般的にパケット検出、同期および自動ゲイン制御等に使用され、データユニットのデコードで使用されるＰＨＹ情報を提供する、プリアンブル６０２を含む。ＰＨＹデータユニット６００はまた、サービスフィールド６０６およびデータ部分６０８を有するデータフィールド６０４を含む。サービスフィールド６０６は、スクランブラシード６１０を含む。一実施形態では、スクランブラシード６１０は、７ビット（例えば、Ｘ０...Ｘ６）を有する。一実施形態では、スクランブラシード６１０は、ＩＥＥＥ８０２．１１ａ、ｂ、ｇ、ｎ規格に従い、この場合、スクランブラシードは、ゼロでない疑似乱数値である。スクランブラシード６１０は、データ部分６０８のビットを暗号化するのに使用されるスクランブラの初期状態に対応している。
【００５３】
一実施形態では、サービスフィールド６０６の７つの最上位ビット（ＭＳＢ）が、スクランブラシード６１０に対応し、１つの最下位ビット（ＬＳＢ）が、リザーブされたビット６１４に対応する。
【００５４】
別の実施形態では、サービスフィールド６０６は、１バイトより大きい別の好適な長さを有する。別の実施形態では、サービスフィールド６０６は、１バイト未満の別の好適な長さを有する。サービスフィールド６０６の１以上のビットが、スクランブルラシードフィールドとして使用される。ある実施形態では、スクランブラシード６０８の好適な数のビットが、例えば、１のような論理値に固定される。
【００５５】
８ビットサービスフィールドを有するデータユニットを生成すると、従来技術の物理層（ＰＨＹ）形式の情報量よりも大幅に少ないＰＨＹプロトコル情報量（ペイロードデータとは対照的に）を有するデータユニットとなる。これは特に、ＩＥＥＥ８０２．１１ａｈ／ａｆ規格のプロトコルのような長距離通信プロトコルの少なくとも一部の実施形態において有用である。ＰＨＹオーバーヘッドデータの量を低減することにより、少なくとも一部の実施形態および／またはシナリオでは、ＰＨＹデータユニットの大部分をペイロード情報に充てることができ、全体的なデータスループットを向上させることができる。上述したように、長距離通信プロトコルを使用する例の一部では、ＰＨＹサービスデータユニット（ＰＳＤＵ）のサイズは、通常、１０バイト程度であると考えられる。短距離ＰＨＹデータユニットと概して同じであるが、データ部分が４回繰り返されている（４Ｘ繰り返しモード）長距離通信プロトコルの一例のシナリオでは、１６ビットサービスフィールドは、最大で３つのＯＦＤＭシンボルを占めることができ、ＰＨＹデータユニット全体の大きな部分を占める。
【００５６】
ある実施形態では、長距離通信プロトコルは、少なくとも二つのモードで動作し、１つは、ｉ）通常モードまたは正常モード、もう１つは、ｉｉ）拡張範囲モードまたは低レートモード、である。ある実施形態では、低レートモードは、通常モードと比較してクロック速度が遅いモードに対応し、低レートモードにおけるデータレートは通常、通常モードにおけるデータレートよりも低い。一実施形態では、ＰＨＹデータユニット形式６００は、通常モードおよび低レートモードの両方で利用される。別の実施形態では、ＰＨＹデータユニット形式６００は、低レートモードで使用され、別の好適なＰＨＹデータユニット形式６００は、通常モードで使用される。例えば、一実施形態では、（ＰＨＹデータユニット形式６００と比較して）長いサービスフィールドを有する、例えば、１６ビットサービスフィールドを有するＰＨＹデータユニット形式が、通常モードで使用される。
【００５７】
図７には、一実施形態に係る、長距離通信プロトコルで使用されるＰＨＹデータユニット形式７００の別の例が示されている。一実施形態では、ＡＰ１４は、直交周波数分割多重（ＯＦＤＭ）変調を介して、クライアント局２５−４に、ＰＨＹデータユニット７００を送信する。一実施形態では、クライアント局２５−４も、データユニット７００をＡＰ１４に送信する。
【００５８】
データユニット７００は、プリアンブル部分７０２およびデータ部分７０４を含む。プリアンブル部分７０２は、ショートトレーニングフィールド（ＳＴＦ）７０６およびロングトレーニングフィールド（ＬＴＦ）７０８を含む。プリアンブル部分７０２はまた、データユニット７００に関する特定の物理層（ＰＨＹ）パラメータ、例えば、データユニット７００の送信に使用される変調の種類および符号化レート等、を搬送するのに使用される信号フィールド（ＳＩＧ）７１０を含む。
【００５９】
データ部分７０４は、スクランブラシードフィールドを含まない。一実施形態では、例えば、ＩＥＥＥ８０２．１１ａ、ｇ、ｎ規格とは異なり、データ部分７０４は、サービスフィールドを含まない。
【００６０】
一実施形態では、スクランブラシードサブフィールド７１４は、信号フィールド７１０に含まれる。一実施形態において、スクランブラシードサブフィールド７１４は、７ビット（例えば、Ｘ０...Ｘ６）を有する。
【００６１】
別の実施形態では、スクランブラシードサブフィールド７１４は、７ビットより短い長さを有する。一実施形態において、スクランブラシードサブフィールド７１４が、７ビット未満の長さ（すなわち、Ｎビット、１≦Ｎ＜７）を有する場合、スクランブラシードサブフィールド７１４は、長さＭ（Ｍ≧７）を有するスクランブラシードのＮ個のＬＳＢを表す。一実施形態において、長距離プロトコルに従って動作する局は、スクランブラシードのＭ−Ｎの残りのビットは、特定の値、例えば、全てが１または全てが０のような値に設定されていると仮定する。
【００６２】
一実施形態では、スクランブラシードサブフィールド７１４は、４ビットの長さを有し、７ビットスクランブラシードの４つのＬＳＢに対応する。一実施形態では、残りの３つの最上位ビット（ＭＳＢ）は、全て値が１であると仮定される。このようなスクランブラシードは、ＩＥＥＥ８０２．１１ａ、ｇ、ｎ規格で要求されるランダム化の要件、すなわち、初期スクランブラシード値が、ゼロでない疑似乱数値であるという要件を満たす。
【００６３】
図８は、一実施形態に係る、長距離通信プロトコルで使用されるＰＨＹデータユニット形式８００の別の例が示されている。一実施形態では、ＡＰ１４は、直交周波数分割多重（ＯＦＤＭ）変調を介して、クライアント局２５−４に、ＰＨＹデータユニット８００を送信する。一実施形態では、クライアント局２５−４も、データユニット８００をＡＰ１４に送信する。
【００６４】
データユニット８００は、プリアンブル部分８０２およびデータ部分８０４を含む。プリアンブル部分８０２は、ショートトレーニングフィールド（ＳＴＦ）８０６およびロングトレーニングフィールド（ＬＴＦ）８０８を含む。一実施形態において、ＳＴＦ８０６は、ＳＴＦ７０６（図７）よりも継続時間が短い。プリアンブル部分８０２はまた、データユニット８００に関する特定の物理層（ＰＨＹ）パラメータ、例えば、データユニット８００の送信に使用される変調の種類および符号化レート等、を搬送するのに使用される信号フィールド（ＳＩＧ）８１０を含む。少なくともあるシナリオでは、データユニットは、その他のＬＴＦ８１４を含む。
【００６５】
データ部分８０４は、スクランブラシードフィールドを含まない。一実施形態では、例えば、ＩＥＥＥ８０２．１１ａ、ｇ、ｎ規格とは異なり、データ部分８０４は、サービスフィールドを含まない。
【００６６】
一実施形態では、スクランブラシードサブフィールド８１８は、信号フィールド８１０に含まれる。一実施形態において、スクランブラシードサブフィールド８１８は、７ビット（例えば、Ｘ０...Ｘ６）を有する。
【００６７】
別の実施形態では、スクランブラシードサブフィールド８１８は、７ビットより短い長さを有する。一実施形態において、スクランブラシードサブフィールド８１８が、７ビット未満の長さ（すなわち、Ｎビット、１≦Ｎ＜７）を有する場合、スクランブラシードサブフィールド８１８は、長さＭ（Ｍ≧７）を有するスクランブラシードのＮ個のＬＳＢを表す。一実施形態において、長距離プロトコルに従って動作する局は、スクランブラシードのＭ−Ｎの残りのビットは、特定の値、例えば、全てが１または全てが０のような値に設定されていると仮定する。
【００６８】
一実施形態では、スクランブラシードサブフィールド８１８は、４ビットの長さを有し、７ビットスクランブラシードの４つのＬＳＢに対応する。一実施形態では、残りの３つの最上位ビット（ＭＳＢ）は、全て値が１であると仮定される。このようなスクランブラシードは、ＩＥＥＥ８０２．１１ａ、ｇ、ｎ規格で要求されるランダム化の要件、すなわち、初期スクランブラシード値が、ゼロでない疑似乱数値であるという要件を満たす。
【００６９】
一実施形態において、ＰＨＹデータユニット形式８００は、長距離プロトコルの通常モードで使用され、ＰＨＹデータユニット形式７００（図７）は、低レートモードで使用される。別の実施形態では、ＰＨＹデータユニット形式７００（図７）は、低レートモードで使用され、別の好適なＰＨＹデータユニット形式６００は、通常モードで使用される。例えば、一実施形態では、（ＰＨＹデータユニット形式７００と比較して）長いサービスフィールドを有する、例えば、１６ビットサービスフィールドを有するＰＨＹデータユニット形式が、通常モードで使用される。
【００７０】
図９は、一実施形態に係る、ＰＨＹデータユニットに含まれる信号フィールドの一例９５０が示されている。一実施形態において、信号フィールド９５０は、ＰＨＹデータユニット７００（図７）の信号フィールド７１０として使用される。一実施形態において、信号フィールド９５０は、ＰＨＹデータユニット８００（図８）の信号フィールド８１０として使用される。別の実施形態では、信号フィールド９５０は、その他の好適なＰＨＹデータユニットで使用される。
【００７１】
信号フィールド９５０は、長さサブフィールド９６２、スクランブラシード／Ｎｓｔｓサブフィールド９６４、リザーブドサブフィールド（Reserved subfield）９６６、巡回冗長検査（ＣＲＣ）／パリティ検査サブフィールド９６８、および、テールサブフィールド９７０を含む。一実施形態において、スクランブラシード／Ｎｓｔｓサブフィールド９６４は、４ビットの長さを有する。別の実施形態では、スクランブラシード／Ｎｓｔｓサブフィールド９６４は、別の好適な長さを有する。
【００７２】
一実施形態において、長さフィールド９６２における第１の値（例えば、０に等しい値）は、パケットがヌルデータパケット（ＮＤＰ）サウンディングパケットであることを示す。この場合、暗号化すべきＰＨＹデータユニットのペイロード部分が存在しないことから、スクランブラシード／Ｎｓｔｓサブフィールド９６４は、スクランブラシードの値をし示す必要がない。一実施形態において、長さフィールド９６２に第１の値（例えば、ゼロ）が設定されている場合には、スクランブラシード／Ｎｓｔｓサブフィールド９６４は、ＮＤＰサウンディングパケットを送信するのに使用される空間ストリームの数に対応していると解釈される。一方、長さフィールド９６２が第１の値と等しくない場合には、スクランブラシード／Ｎｓｔｓサブフィールド９６４は、ＭビットスクランブラシードのＮ個のＬＳＢに対応していると解釈される。
【００７３】
例えば、スクランブラシード／Ｎｓｔｓサブフィールド９６４に４ビットが割り当てられる一実施形態では、長さフィールド９６２に第１の値（例えば、ゼロ）が設定されている場合には、スクランブラシード／Ｎｓｔｓサブフィールド９６４の２つのＬＳＢは、空間ストリームの数（Ｎｓｔｓ）であると解釈され、２個のＭＳＢはリザーブされる。一方、長さフィールド９６２が第１の値と等しくない場合には、スクランブラシード／Ｎｓｔｓサブフィールド９６４の４ビットは、は、スクランブラシードの４つのＬＳＢであると解釈され、スクランブラシードの３つのＭＳＢが、全て１、全て０またはその他の好適な値であると仮定される。
【００７４】
一実施形態において、信号フィールド９５０は、ＰＨＹデータユニットのプリアンブル部分に含まれる。少なくとも信号フィールド９５０が、二位相偏移変調（ＢＰＳＫ）に従って変調され、レート１／２の２値畳み込み符号（ＢＣＣ）を使用して符号化され、各ビットが４回繰り返される。長さフィールド９６２は、８ビットの長さを有し、スクランブラシード／Ｎｓｔｓサブフィールド９６４は、４ビットの長さを有し、テールフィールド９７０が、６ビットの長さを有する一実施形態では、長さフィールド９６２、スクランブラシード／Ｎｓｔｓサブフィールド９６４およびテールフィールド９７０の１８ビットが、３つのＯＦＤＭシンボルを占める。
【００７５】
図１０は、一実施形態に係る、長距離通信プロトコルに従ってＰＨＹデータユニットを生成する方法の一例１０００のフローチャートである。図１に示すように、方法１０００は、ＡＰ１４のネットワークインターフェース１６によって実装される。このような一実施形態では、ＰＨＹ処理ユニット２０は、方法１０００を実装するように構成されている。別の実施形態では、ＭＡＣ処理１８は、方法１０００の少なくとも一部を実装するように構成される。図１に示すように、別の実施形態では、方法１０００は、クライアント局２５−１のネットワークインターフェース２７（例えば、ＰＨＹ処理ユニット２９および／またはＭＡＣ処理ユニット２８）によって実装される。別の実施形態では、方法１０００は、その他の好適なネットワークインターフェースによって実装される。
【００７６】
ブロック１００２では、ＰＨＹデータユニットのプリアンブル部分が生成される。例えば、一実施形態では、図６のプリアンブル部分６０２が生成される。その他の実施形態では、その他の好適なＰＨＹデータユニットプリアンブルが生成される。一実施形態では、長距離通信プロトコルに従ってプリアンブル分６０２が生成される。
【００７７】
ブロック１００８では、８ビット以下の長さを有するサービスフィールドが生成される。一実施形態では、サービスフィールドの７ビットは、スクランブラシードとして規定され、サービスフィールドの１ビットが、リザーブされているとして規定される。その他の実施形態では、（ｉ）サービスフィールドは、８ビット未満（例えば、１，２，３，４，５，６または７ビット）を有し、（ｉｉ）サービスフィールドの７ビット未満（例えば、１，２，３，４，５または６ビット）が、スクランブラフィールドとして規定され、および／または、（ｉｉｉ）残りのゼロビットまたはゼロビット以上がリザーブされるとして、規定される。一実施形態では、ブロック１００８で生成されるサービスフィールドは、図６のサービスフィールド６０６である。
【００７８】
ブロック１０１２において、ＰＨＹデータユニットのデータ部分が、ブロック１００８で生成されたサービスフィールドを含むように生成される。例えば、一実施形態では、図６のデータ部分６０４が生成される。その他の実施形態では、別の好適なＰＨＹデータユニットのデータ部分が生成される。一実施形態では、データ部分が、長距離通信プロトコルに従って生成される。一実施形態では、サービスフィールドのスクランブラシード情報を使用して、データ部分が生成される。一実施形態では、サービスフィールドが、スクランブラシード情報の７ビット未満を含む場合、データ部分の生成は、スクランブラシードの１以上の別のビットが、予め規定された値であると仮定することを含む。
【００７９】
図１１は、一実施形態に係る、長距離通信プロトコルに従ってＰＨＹデータユニットを生成する方法の別の例１１００のフローチャートである。図１に示すように、方法１１００は、ＡＰ１４のネットワークインターフェース１６によって実装される。このような一実施形態では、ＰＨＹ処理ユニット２０は、方法１１００を実装するように構成されている。別の実施形態では、ＭＡＣ処理１８は、方法１１００の少なくとも一部を実装するように構成される。図１に示すように、別の実施形態では、方法１１００は、クライアント局２５−１のネットワークインターフェース２７（例えば、ＰＨＹ処理ユニット２９および／またはＭＡＣ処理ユニット２８）によって実装される。別の実施形態では、方法１１００は、その他の好適なネットワークインターフェースによって実装される。
【００８０】
ブロック１１０４において、スクランブラシードサブフィールドが生成される。一実施形態において、スクランブラシードサブフィールドは、ＰＨＹデータユニットに含めるべき暗号化データに使用される、完全なスクランブラシード値（例えば、スクランブルシード値の全てのビット）を含む。別の実施形態では、スクランブラシードサブフィールドは、ＰＨＹデータユニットに含めるべきデータの暗号化に使用される完全なスクランブラシード値の一部分のみを含む。例えば、完全なスクランブラシード値が７ビットの長さを有する実施形態では、スクランブラシードサブフィールドは、完全なスクランブラシード値の７ビットのうちの一部分のみを含む（例えば、６ビット、５ビット、４ビット、３ビット、２ビットまたは１ビット）。スクランブラシードサブフィールドが、完全なスクランブラシード値の一部分のみを含む一実施形態では、スクランブラシードサブフィールドは、完全なスクランブラシード値のＬＳＢに対応し、ＭＳＢは、例えば、全て１、全て０またはその他の好適な値のような所定の値であると仮定される。スクランブラシードサブフィールドが、完全なスクランブラシード値の一部分のみを含む別の実施形態では、スクランブラシードサブフィールドは、完全なスクランブラシード値のＭＳＢに対応し、ＬＳＢは、例えば、全て１、全て０またはその他の好適な値のような所定の値であると仮定される。
【００８１】
一実施形態では、スクランブラシードサブフィールドは、図７で示したスクランブラシードサブフィールド７１４の例を参照して説明したように生成される。一実施形態では、スクランブラシードサブフィールドは、図８で示したスクランブラシードサブフィールド８１８の例を参照して説明したように生成される。一実施形態では、スクランブラシードサブフィールドは、図９で示したスクランブラシードサブフィールド９６４の例を参照して説明したように生成される。
【００８２】
ブロック１１０８では、ブロック１１０４で生成されたスクランブラシードサブフィールドを含むように、ＰＨＹデータユニットプリアンブルの信号フィールドが生成される。一実施形態では、信号フィールドは、図７の信号フィールドの例７１０を参照して説明したように生成される。一実施形態では、信号フィールドは、図８の信号フィールドの例８１０を参照して説明したように生成される。一実施形態では、信号フィールドは、図９の信号フィールドの例９５０を参照して説明したように生成される。
【００８３】
ブロック１１１２では、ブロック１１０８で生成された信号フィールドを含むように、ＰＨＹデータユニットのＰＨＹデータユニットプリアンブルが生成される。一実施形態では、プリアンブルは、図７のプリアンブル部分の例７０２を参照して説明したように生成される。一実施形態では、プリアンブルは、図８のプリアンブル部分の例８０２を参照して説明したように生成される。
【００８４】
ブロック１１１６において、ブロック１１１２で生成されたプリアンブルを含むように、ＰＨＹデータユニットが生成される。一実施形態では、ＰＨＹデータユニットは、図７のＰＨＹデータユニットの例７００を参照して説明したように生成される。一実施形態では、ＰＨＹデータユニットは、図８のＰＨＹデータユニットの例８００を参照して説明したように生成される。一実施形態では、ブロック１１１６で生成されたＰＨＹデータユニットは、データ部分を含み、データ部分におけるビットは、ブロック１１０４で生成されたスクランブラシードサブフィールドに対応するスクランブラシード値を使用して暗号化される。
【００８５】
図１２には、一実施形態に係る、長距離通信プロトコルに従ってＰＨＹデータユニットを生成する方法の一例１２００のフローチャートが示されている。図１に示すように、方法１２００は、ＡＰ１４のネットワークインターフェース１６によって実装される。このような一実施形態では、ＰＨＹ処理ユニット２０は、方法１２００を実装するように構成されている。別の実施形態では、ＭＡＣ処理１８は、方法１２００の少なくとも一部を実装するように構成される。図１に示すように、別の実施形態では、方法１２００は、クライアント局２５−１のネットワークインターフェース２７（例えば、ＰＨＹ処理ユニット２９および／またはＭＡＣ処理ユニット２８）によって実装される。別の実施形態では、方法１２００は、その他の好適なネットワークインターフェースによって実装される。
【００８６】
ブロック１２０２において、ＰＨＹデータユニットが、（ｉ）長距離プロトコルの通常モードに従って生成されるか、または、（ｉｉ）長距離プロトコルの低レートモードに従って生成されるか、が判断される。ブロック１２０２において、ＰＨＹデータユニットが通常モードに従って生成されると判断された場合には、ＰＨＹデータユニットは、ブロック１２０６において、第１データユニットに従って生成される。一実施形態では、ブロック１２０６は、（ｉ）スクランブラシードフィールドがＰＨＹデータユニットにおける第１ロケーションに位置するように、および、（ｉｉ）スクランブラシードサブフィールドが第１長さを有するように、ＰＨＹデータユニットを生成することを含む。
【００８７】
一方、ブロック１２０２において、ＰＨＹデータユニットが低レートモードに従って生成されると判断された場合には、ＰＨＹデータユニットは、ブロック１２１０において、第２データユニット形式に従って生成される。一実施形態では、ブロック１２１０は、（ｉ）スクランブラシードフィールドが、ＰＨＹデータユニットにおける第１ロケーションとは異なる第２ロケーションに位置するように、および、（ｉｉ）スクランブラシードサブフィールドが第１長さとは異なる第２長さを有するように、の少なくとも一方の形態で、ＰＨＹデータユニットを生成することを含む。
【００８８】
例えば、一実施形態では、ＰＨＹデータユニットが通常モードに従って生成される場合には、スクランブラシードサブフィールドは、ＰＨＹデータユニットのペイロード部分のサービスフィールドに位置し、ＰＨＹデータユニットが低レートモードに従って生成される場合には、ＰＨＹデータユニットのペイロード部分はサービスフィールドを有さず、スクランブラシードサブフィールドは、ＰＨＹデータユニットのプリアンブル部分の信号フィールドに位置する。別の例として、一実施形態では、ＰＨＹデータユニットが通常モードに従って生成される場合には、スクランブラシードサブフィールドは、完全なスクランブラシード値の長さと等しい長さを有し、ＰＨＹデータユニットが低レートモードに従って生成される場合には、スクランブラシードサブフィールドは、完全なスクランブラシード値の長さよりも短い。別の例として、一実施形態では、ＰＨＹデータユニットが通常モードに従って生成される場合には、（ｉ）スクランブラシードサブフィールドは、ＰＨＹデータユニットのペイロード部分のサービスフィールドに位置する、および、（ｉｉ）スクランブラシードサブフィールドは、完全なスクランブラシード値の長さと等しい長さを有し、ＰＨＹデータユニットが低レートモードに従って生成される場合には、（ｉ）ＰＨＹデータユニットのペイロード部分のサービスフィールドは省略され、スクランブラシードサブフィールドは、ＰＨＹデータユニットのプリアンブル部分の信号フィールドに位置する、および、（ｉｉ）スクランブラシードサブフィールドは、完全なスクランブラシード値の長さよりも短い。
【００８９】
図１３は、一実施形態に係る、長距離通信プロトコルに従ってＰＨＹデータユニットを生成する方法の一例１３００のフローチャートが示されている。図１に示すように、方法１３００は、ＡＰ１４のネットワークインターフェース１６によって実装される。このような一実施形態では、ＰＨＹ処理ユニット２０は、方法１３００を実装するように構成されている。別の実施形態では、ＭＡＣ処理１８は、方法１２００の少なくとも一部を実装するように構成される。図１に示すように、別の実施形態では、方法１３００は、クライアント局２５−１のネットワークインターフェース２７（例えば、ＰＨＹ処理ユニット２９および／またはＭＡＣ処理ユニット２８）によって実装される。別の実施形態では、方法１３００は、その他の好適なネットワークインターフェースによって実装される。
【００９０】
ブロック１３０４において、ＰＨＹデータユニットが、（ｉ）長距離プロトコルの通常モードに従って生成されるか、または、（ｉｉ）長距離プロトコルの低レートモードに従って生成されるか、が判断される。ブロック１３０４において、ＰＨＹデータユニットが通常モードに従って生成されると判断された場合には、ＰＨＹデータユニットは、ブロック１３０８において、第１データユニットに従って生成される。一実施形態では、ブロック１３０８は、（ｉ）サービスフィールドがＰＨＹデータユニットにおけるペイロード部分に位置するように、および、（ｉｉ）サービスフィールドが第１長さを有するように、ＰＨＹデータユニットを生成することを含む。
【００９１】
一方、ブロック１３０４において、ＰＨＹデータユニットが低レートモードに従って生成されると判断された場合には、ＰＨＹデータユニットは、ブロック１３１２において、第２データユニット形式に従って生成される。一実施形態では、ブロック１３１２は、（ｉ）ペイロード部分がサービスフィールドを有さず、または、（ｉｉ）サービスフィールドが第１長さとは異なる第２長さを有するように、ＰＨＹデータユニットを生成することを含む。
【００９２】
例えば、一実施形態では、ＰＨＹデータユニットが通常モードに従って生成される場合には、サービスフィールド（スクランブラシードサブフィールドを含む）は、ＰＨＹデータユニットのペイロード部分に含められ、ＰＨＹデータユニットが低レートモードに従って生成される場合には、ＰＨＹデータユニットのペイロード部分はサービスフィールドを有さず、スクランブラシードサブフィールドは、ＰＨＹデータユニットのプリアンブル部分の信号フィールドに位置する。別の例として、一実施形態では、ＰＨＹデータユニットが通常モードに従って生成される場合には、サービスフィールドは、第１長さを有し、ＰＨＹデータユニットのペイロード部分に含められ、ＰＨＹデータユニットが低レートモードに従って生成される場合には、サービスフィールドは、第２長さを有し、ＰＨＹデータユニットのペイロード部分に含められる。一実施形態では、第２長さは、第１長さよりも短い。
【００９３】
一実施形態では、装置は、方法１３００を実装するネットワークインターフェースを備える。
【００９４】
上記で説明した様々なブロック、オペレーションおよび技術の少なくとも一部は、ハードウェア、ファームウェア命令を実行するプロセッサ、ソフトウェア命令を実行するプロセッサまたはこれらの組み合わせを使用して実装されてもよい。また、上記で説明した様々なブロック、オペレーションおよび技術の一部は、異なる順番（および／または同時に）実行されてもよく、所望の結果を得ることができる。ソフトウェア命令またはファームウェア命令を実行するプロセッサを利用して実装される場合、ソフトウェア命令またはファームウェア命令は、磁気ディスク、光ディスクのようなコンピュータ可読メモリ、または、ＲＡＭまたはＲＯＭまたはフラッシュメモリ内のその他の記憶媒体、プロセッサ、ハードディスクドライブ、光ディスクドライブ、テープドライブ等に格納されてもよい。同様に、ソフトウェア命令またはファームウェア命令は、周知の任意のまたは所望の供給方法、例えば、コンピュータ可読ディスクまたはその他の可搬コンピュータ記憶メカニズムにより、または、通信媒体を介して、ユーザまたはシステムに供給されてもよい。そして、ソフトウェア命令またはファームウェア命令は、電話回線、ＤＳＬ回線、ケーブルテレビ回線、光ファイバー回線、無線通信チャネル、インターネット等の通信チャネルを介して、ユーザまたはシステムに提供される。ソフトウェア命令またはファームウェア命令は、プロセッサによって実行されるとプロセッサに様々な動作を行わせる機械可読命令を含んでもよい。
【００９５】
ハードウェアに実装される場合、個別部品、集積回路、特定用途向け集積回路（ＡＳＩＣ）、等の１以上を含んでもよい。
【００９６】
本発明が、特定の例を参照して説明されたが、これは例示を目的としており、本発明を限定することを目的としていない。本発明の範囲内において、開示された実施形態に様々な変更、付加および削除を行うことができる。
【図１】
0005967632.tif 000002
【図２Ａ】
0005967632.tif 000003
【図２Ｂ】
0005967632.tif 000004
【図３】
0005967632.tif 000005
【図４】
0005967632.tif 000006
【図５】
0005967632.tif 000007
【図６】
0005967632.tif 000008
【図７】
0005967632.tif 000009
【図８】
0005967632.tif 000010
【図９】
0005967632.tif 000011
【図１０】
0005967632.tif 000012
【図１１】
0005967632.tif 000013
【図１２】
0005967632.tif 000014
【図１３】
0005967632.tif 000015